(57)【要約】【課題】手指の握力や押し込みの強さに応じてローラー内蔵把手から覗き出るいぼローラーのいぼ群を、手足等の経絡つぼに転がせて押圧作用させ、血行促進と老化防止等に役立つストレッチと癒しのつぼ押し転がりマッサージ器を提供する。【解決手段】間隔を弾力的に付勢して対向せしめた押し込み把手３とローラー内蔵把手４とからなり、ローラー内蔵把手４を手足等のつぼに当て、押し込み把手３を手か足で押し込んだ時、ローラー内蔵把手４内を水平の横線溝２で案内されて転動移動するいぼローラー５が、その揺動腕軸８を押し拡げながらいぼローラー５のいぼ５ａが手のひら等のつぼ面を転がるように刺激するようにしたことを特徴とした。【選択図】　　　　図１
2004057756.tif 000002
【特許請求の範囲】
【請求項１】
間隔を弾力的に付勢して対向せしめた押し込み把手３とローラー内蔵把手４とからなり、ローラー内蔵把手４を手足等のつぼに当て、押し込み把手３を手か足で押し込んだ時、ローラー内蔵把手４内を水平の横線溝２で案内されて転動移動するいぼローラー５が、その揺動腕軸７を押し拡げながらいぼローラー５のいぼ５ａが手のひら等のつぼ面を転がるように刺激するようにしたことを特徴としたつぼ押し転がりマッサージ器。
【発明の詳細な説明】
【０００１】
【発明の属する技術分野】
本発明は、手指の握力や押し込みの強さに応じてローラー内蔵把手から覗き出るいぼローラーのいぼ群を、手足等の経絡つぼに転がせて押圧作用させ、血行促進と老化防止等に役立つストレッチと癒しのつぼ押し転がりマッサージ器に関する。
【０００２】
【従来の技術】
手のひらの中に握り込んで、突出する突き棒により手のひらの経絡つぼを刺激する手のひらマッサージ器に関しては、実用新案登録第３０８２８４２号によって提案されている。
【０００３】
【発明が解決しようとする課題】
従来提案の手のひらマッサージ器は、手のひらの中に握り込むと突出する突き棒が手のひらの経絡つぼを刺激するものであるが、握った時点で局部的に同じ部位を点押圧を繰り返して刺激するため、疼痛を感じることが多く、高齢者や病人には、必ずしも心地よいマッサージ作用とは云い難い場合もあるなど問題点もあった。
【０００４】
本発明は、手のひらや足頸等の押圧部位にいぼいぼを転がすように動的に作用させるつぼ押しマッサージ器を提案するもので、高齢者は勿論、老若を問わず心地よい刺激で指圧効果と共にストレス発散してリラックス効果を倍加させるものである。
【０００５】
【課題を解決するための手段】
本発明は、つぼ押しマッサージ器に於て、間隔を弾力的に付勢して対向せしめた押し込み把手３とローラー内蔵把手４とからなり、ローラー内蔵把手４を手足等のつぼに当て、押し込み把手３を手か足で押し込んだ時、ローラー内蔵把手４内を水平の横線溝２で案内されて転動移動するいぼローラー５が、その揺動腕軸８を押し拡げながらいぼローラー５のいぼ５ａが手のひら等のつぼ面を転がるように刺激するようにしたことを特徴としたものである。
【０００６】
対向する押し込み把手３とローラー内蔵把手４の間隔を弾力的に保つには、スリーブばね１，１を用いるが、必ずしもこれに限るものではなく、ゴムのような弾性体や磁力の反発力を利用したものであっても良い。
【０００７】
【発明の実施の形態】
本発明は、押し込み把手３とローラー内蔵把手４とからなり、例えば手の場合、ローラー内蔵把手４を手のひらに当て、押し込み把手３を指で握り込みを繰り返した時、ローラー内蔵把手４から覗き出ているいぼローラー５のいぼ５ａ群が、手のひら面を転がるように往復して手のひらのつぼを心地よく刺激するようにしたことを特徴としたものである。
【０００８】
図１は実施例で、押し込み把手３とローラー内蔵把手４は、両端近くでスリーブばね１，１で間隔を保つように付勢して対向せしめてあり、押し込み把手３のローラー内蔵把手４との対向面に溝６を設けて、この溝６内に、円周面に多数のいぼ５ａを点在せしめたいぼローラー５を支軸７，７で回転自在に枢着した２本の揺動腕軸８，８の下端を枢着した。
【０００９】
２個のいぼローラー５，５は、スリーブばね１，１の伸長時に、互いに近接してローラー内蔵把手４内に穿設した溝穴９に埋没するように位置するが、その支軸７，７の外端部を、溝穴９の両側面に設けた横線溝２に遊嵌して案内せしめるようにした。
【００１０】
使用に当たって、手のつぼの場合、ローラー内蔵把手４を手のひらのはらに当て、押し込み把手３を各指の力で握り込むと、手のひらのはらでローラー内蔵把手４が押し込まれ、手のひらに当接するいぼローラー５のいぼ５ａが、手のひら面を転がるように移動してつぼを押圧刺激する。
【００１１】
つまり、この場合、いぼローラー５の支軸７，７の他端部が、溝穴９の両側面に水平に設けた横線溝２に遊嵌してあるので、ローラー内蔵把手４と共に水平状態で押し下げられる横線溝２が、支軸７，７の他端部を案内して揺動腕軸８，８を押し開きながらいぼローラー５を両側に転動移動させ、いぼ５ａ群が手のひら面を転がり、にぎにぎを繰り返すと、揺動腕軸８，８も開閉揺動を繰り返していぼ５ａ群が往復押圧を繰り返す。
【００１２】
従って、手のひら面に当接したいぼローラー５の多数のいぼ５ａは、手のひら面を転がりながら押圧刺激を繰り返すことになり、痛みを感ずることなく、気持ち良い刺激でマッサージが出来る。
【００１３】
本発明マッサージ器は、つぼ押しの部位が、足裏や腿又は首筋でも応用が出来、すべて、いぼローラー５周面の多数のいぼ５ａが、手のひら面を転がるように作用して押圧するため、指圧作用が柔らかで、しかも皮膚表面を軽く摩る所謂マサージ効果も併せた効果が現出され、押圧刺激が効果的であるにも拘らず、タッチが極めてソフトになり気持ちがよい。
【００１４】
つまり、にぎにぎするに当たって、押圧部位を移動させ気持ちのいい個所を自分で探しながら、好みに応じて各人各様適宜握る力の強さを変化させてコントロールすれば、同じ個所を押し続けるため痛さを感じる従来の手のひらマサージ器と違って、痛さを全く感じることなく、体力体調に応じた快適で気持ちのよい手のひらつぼの指圧とマッサージを楽しみなら容易に刺激することが出来る。
【００１５】
従って、にぎにぎするに当たって楽しく指を動かすことにより、ソフトな指圧マッサージ効果によるストレッチと癒しの効果と共に、脳が活性化され、心地よい刺激が自律神経をコントロールしてストレスを発散させるので、気分が爽快になると共に、いつの間にか老化防止や高齢者のボケ防止に役立つことは勿論である。
【００１６】
【発明の効果】
本発明によれば、自分の体調や好みの強さに応じて、手のひらのつぼ押しや足裏，腿，首筋等の指圧マッサージを、痛さを感じることなく気持ちよくコントロールして作用させ、遊び感覚で楽しくしかも極めて効果的に刺激して血行を促進するストレッチと癒しのソフトな効果を奏すると共に、いつの間にか脳が活性化され、心地よい刺激が自律神経をコントロールしてストレスを発散させ、気分が爽快になって老化防止や高齢者のボケ防止に役立つ効果がある。
【図面の簡単な説明】
【図１】本発明の一部切除して示す側面図である。
【図２】本発明の斜視図である。
【符号の説明】
１　スリーブばね
２　横線溝
３　押し込み把手
４　ローラー内蔵把手
５　いぼローラー
５ａ　いぼ
６　溝
７，７　支軸
８，８　揺動腕軸
９　溝穴
【図１】
2004057756.tif 000003
【図２】
2004057756.tif 000004